(57)【要約】【課題】  胴部の上下に反転可能な肩壁面、底壁面を形成し、肩壁面に注出口、底壁面に充填口を設け、充填後には、正立、倒立いずれでも自立可能とし、使用時には注出口を反転上昇させるようにした薄肉ブロー容器を提供する。【解決手段】  胴周壁と、胴周壁の上部に連設され、注出口部を突設した反転可能な肩壁面と、胴周壁の下部に連設され、充填口を突設した反転可能な底壁面とからなることを特徴とする。【選択図】  図１
2005231726.tif 000002
【特許請求の範囲】
【請求項１】
胴周壁と、胴周壁の上部に連設され、注出口部を突設した反転可能な肩壁面と、
胴周壁の下部に連設され、反転可能な底壁面とからなることを特徴とする薄肉ブロー容器。
【請求項２】
底壁面に充填口部が設けられていることを特徴とする請求項１記載の薄肉ブロー容器。
【請求項３】
胴周壁が、平行する前後壁面と、該前後壁面の両端に接続し、前後の中央線上で交わる側壁面によって構成される六角形の筒状体からなり、
肩壁面と底壁面が、胴周壁の前後壁面端縁に接続した台形反転面と、前後の側壁面の端縁に接続した三角形の反転面とを具えており、
隣り合う各反転面の端縁が折り線により接続され、折り線を山折り、または谷折りすることによって、反転されるようにしたことを特徴とする請求項１、２記載の薄肉ブロー容器。
【発明の詳細な説明】
【技術分野】
【０００１】
本発明は薄肉ブロー容器、とくに容器の胴部を角形状とし、胴部の上部と下部を内方に折り返し反転させ、正立、倒立のいずれでも自立する薄肉容器に関する。
【背景技術】
【０００２】
スタンディングパウチとして、パウチの上下にガセット部を設け、上部に注出口部を設けた変形ガゼットパウチは従来より知られている（特許文献１参照）。
【０００３】
また、パウチ状ブロー成形容器として、胴部の上端部に、中央に口筒部を設けた錐台筒形状の反転可能な肩部を設け、肩部を反転させ倒立状態で自立するようにした薄肉のブロー容器も知られている（特許文献２参照）。
【特許文献１】特開平１０−３２９８４９号公報
【特許文献２】特開２００４−１８０９３号公報
【発明の開示】
【発明が解決しようとする課題】
【０００４】
しかしながら、上記特許文献１記載の容器は、上部に注出口部が設けられているため、正立時には自立機能を有しているが、倒立時には自立できないという問題があった。
また、パウチであるため、フィルムの成形、フィルムのカッティング、フィルムの接着など工程も多く、製造費が高価になるという問題があった。
【０００５】
特許文献２記載のブロー成形容器は、下端をシール部としており、倒立時には自立機能を有しているが、正立時には自立できないという問題があった。
【０００６】
本発明は、上記の問題点を解決することを課題として、胴部の上下に反転可能な肩壁面、底壁面を形成し、肩壁面に注出口、底壁面に充填口を設け、充填後には、正立、倒立いずれでも自立可能とし、使用時には注出口を反転上昇させるようにした薄肉ブロー容器を提供することを目的とする。
【課題を解決するための手段】
【０００７】
本発明は、上記の課題を解決するため、薄肉ブロー容器として、胴周壁と、胴周壁の上部に連設され、注出口部を突設した反転可能な肩壁面と、胴周壁の下部に連設され、反転可能な底壁面とからなることを特徴とする構成を採用する。
【０００８】
ブロー容器の実施例として、底壁面に充填口部が設けられていることを特徴とする構成を採用する。
【０００９】
ブロー容器の各壁面の実施例として、胴周壁が、平行する前後壁面と、該前後壁面の両端に接続し、前後の中央線上で交わる側壁面によって構成される六角形の筒状体からなり、肩壁面と底壁面が、胴周壁の前後壁面端縁に接続した台形反転面と、前後の側壁面の端縁に接続した三角形の反転面とを具えており、隣り合う各反転面の端縁が折り線により接続され、折り線を山折り、または谷折りすることによって、反転されるようにしたことを特徴とする構成を採用する。
【発明の効果】
【００１０】
本発明の薄肉容器は、上部に注出口を突設した肩壁面と、下部に充填口を突設した底壁面とを反転可能としているので、充填後には、正立、倒立いずれでも自立可能となり、容器の上下方向を気にせず函詰めし運搬できるようになった。
また、ブロー成形によって簡単に成形でき、製造費を低価格に抑えることができる。
【発明を実施するための最良の形態】
【００１１】
次に、本発明の容器の実施形態について、図面を参照して説明する。
図１において、Ａは、ブロー成形により横断面を六角形状に形成された合成樹脂製の薄肉の容器である。
容器Ａは、胴周壁１と、該胴周壁１の上端に連設され、注出口部２を突設した肩壁面３と、前記胴周壁１の下端に連設され、充填口４を突設した底壁面５とから構成されている。
胴周壁１は、六角形の角筒状で、各折り線６で接続され、前後の壁面７ａ、７ｂと、左右前後の側壁面８ａ、８ｂ、８ｃ、８ｄとから構成されている。
【００１２】
図１、図２（ａ）に示すように、肩壁面３は、胴周壁１の壁面７ａ、７ｂの上端に接続された前後二つの台形の反転面９ａ、９ｂと、側壁面８ａ、８ｂ、８ｃ、８ｄの上端に接続された左右前後４つの三角形の反転面１０ａ、１０ｂ、１０ｃ、１０ｄとからなり、台形反転面９ａ、９ｂの上辺は、下方に反転したときに、谷線となるよう接続され、接続線上に凹リブによって折り線１１が形成されている。
【００１３】
三角形の反転面１０ａ、１０ｂ、１０ｃ、１０ｄの二つの端縁は、一方の端縁は隣り合う三角形の反転面、他方の端縁は台形反転面９ａ、９ｂの傾斜端縁と接続され、各接続線上には、凹リブによって折り線１２ａ、１２ｂ、１２ｃが形成されている。
【００１４】
折り線１１の中央には、折り線１１を挟むようにして注出口部２が突設されており、注出口部２には、切断用の凹部１３を介して切取部１４が連設されている。
【００１５】
肩壁面３は、各反転面９、１０の折り線１１、１２ａ、１２ｂ、１２ｃを谷折りから山折りに折り変えることによって上方に反転させることができ、反対に山折りから谷折りに折り変えることによって下方に反転させることができる。
下方への反転時には、注出口部２の先端が胴周壁１から隠れるようになっている。
【００１６】
底壁面５は、図１、図２（ｂ）に示すように、胴周壁１下端に肩壁面３と同形状の台形反転面１５ａ、１５ｂと、三角形反転面１６ａ、１６ｂ、１６ｃ、１６ｄとから構成されている。
【００１７】
底壁面５も、肩壁面３と同様に、台形の反転面１５ａと１５ｂの上辺は、上方に反転したときに山線となるように接続され、接続線上に凹リブによって折り線１７が形成されており、台形反転面１５ａ、１５ｂと三角形反転面１６ａ、１６ｂ、１６ｃ、１６ｄとの間の接続線上には凹リブによって折り線１８ａ、１８ｂ、１８ｃが形成されている。
また、折り線１７の中央には、折り線１７を挟むようにして、充填口４が突設されている。
【００１８】
底壁面５も、肩壁面３と同様に、各反転面１５、１６の折り線１７、１８ａ、１８ｂ、１８ｃにより上方、下方に反転させることができる。
上方への反転時には、充填口４の先端が胴周壁１から隠れるようになっている。
【００１９】
次に、薄肉容器の使用態様と作用効果について説明する。
本薄肉容器は、液状やクリーム状の飲料容器、あるいは洗剤や化粧料等の容器として使用されるが、洗剤や化粧料等の詰め替え用容器としても使用できる。
内容物として、液状やクリーム状、あるいはゲル状、粉末状のものが収容される。
【００２０】
充填に先立って、ブロー成形された本薄肉容器は、図３に示すように、容器Ａの胴周壁１の折り線６と、肩壁面３の折り線１１、１２ａ、１２ｂ、１２ｃと、底壁面５の折り線１７、１８ａ、１８ｂ、１８ｃとによりほぼ平面状に折りたたむことができ、空容器として多数の容器をコンパクトにまとめて搬送することができる。
【００２１】
内容物を充填する時には、図４に示すように、充填口４を上にし、注出口部２側の肩壁面３を胴周壁１内方に折り線１１、１２ａ、１２ｂ、１２ｃを介して反転させ、容器Ａを肩壁面３側を下にして倒立させ、充填口４から内容物を充填する。
【００２２】
充填が終わったら充填口４の口部分をヒートシールして密封し、充填口部を形成する。
次いで、図５に示すように、充填口４側の底壁面５を胴周壁１内方に折り線１７、１８ａ、１８ｂ、１８ｃを介して反転させる。
【００２３】
また、図６に示すように、容器Ａの注出口部２を上にしたときも、肩壁面３と底壁面５の双方が胴周壁１内方に反転しており、内容物充填後では容器自体が正立、倒立いずれでも自立可能となる。
容器を箱形にできるので、流通時の函詰めの際に、従来のパウチに比べ、無駄なく函詰めできる。
また、容器の陳列時には容器自体を正立、倒立いずれでも並べて展示できる。
【００２４】
内容物使用時には、まず、注出口部２を上にし、胴周壁１を適量押すことにより、肩壁面３を胴周壁１上方に反転させて胴周壁１より注出口部２を突出させる。
次いで、注出口部２に設けた薄肉の切断用の凹部１３より切取部１４を切り離すことにより注出口が開口され、容器Ａを傾けて注出口より内容物を注出することができる。
また、注出口の開口は、ハサミ等を使って凹部１３を切断するようにしてもよい。
【００２５】
飲料液の場合には、注出口に口をつけたり、ストローを差し込み直接吸飲できる。
また、容器自体が薄肉なので、充填口４側より折り曲げていき、内容物を押し出し、注出口より余すことなく注出し利用できる。
【００２６】
注出口を開けた後は、内容物の全てをすぐに使い切るが、使い切れない場合には、注出口を突出したまま、あるいは肩壁面３を下方に反転させて容器Ａを正立自立させておく。
また、注出口をクリップ等で封をすることにより、内容物を保管しておくことも可能である。
内容物使用後には、図３に示すように、平面状に折りたたむことができるので、廃棄の際にはコンパクトにでき、ゴミ容量の減量に役立たせることができる。
【００２７】
前記実施形態では、底壁面５に充填口部を設けたが、充填口部をなくして反転可能な底壁面５だけとし、肩壁面３に設けられた注出口により、注出、充填をおこなってもよい。
この場合には、注出口により充填をおこない、充填が終わったら、注出口の先端をヒートシールなどをすることにより密封する。
使用時には、注出口のヒートシール部の下を切断することにより注出口が開口される。
【００２８】
前記実施形態では、容器の横断面形状をほぼ六角形と示したが、胴周壁に対して肩壁面と底壁面を反転させて自立できればよいので、他の多角形、楕円形、円形でも採用することもでき、実施形態の形状に限定されない。
【産業上の利用可能性】
【００２９】
本発明の薄肉容器は、胴周壁の上下が反転可能な肩壁面と底壁面を形成し、肩壁面に注出口、底壁面に充填口を設け、内容物充填後の流通時には、正立、倒立いずれでも自立可能となり、容器の上下方向を気にせず無駄なく函詰め運搬できる。
【００３０】
容器が自立性のある薄肉の容器で、飲料液、食品、その他の液体、洗剤や液体石けん、シャンプー等の容器、洗剤や液体石けん、シャンプー等の詰め替え用容器として使えるばかりではなく、その他の分野の液体やクリーム状、あるいは粉末状やゲル状のものの容器としても利用できる。
【図面の簡単な説明】
【００３１】
【図１】ブロー容器の正立時の一部断面正面図である。
【図２】ブロー容器の説明図で、（ａ）は上面図、（ｂ）は下面図である。
【図３】内容物充填前にブロー容器を平面状にした状態の斜視図である。
【図４】内容物充填時の容器の斜視図である。
【図５】充填口をヒートシールし、容器胴周壁内に反転した状態の容器の斜視図である。
【図６】注出口部を突出させる前の容器の斜視図である。
【符号の説明】
【００３２】
Ａ                              容器
１                              胴周壁
２                              注出口部
３                              肩壁面
４                              充填口
５                              底壁面
６                              折り線
７ａ、７ｂ                      壁面
８ａ、８ｂ、８ｃ、８ｄ          側壁面
９ａ、９ｂ、１５ａ、１５ｂ      台形反転面
１０ａ、１０ｂ、１０ｃ、１０ｄ、１６ａ、１６ｂ、１６ｃ、１６ｄ    反転面
１１、１２ａ、１２ｂ、１２ｃ、１７、１８ａ、１８ｂ、１８ｃ        折り線
１３                            凹部
１４                            切取部
【図１】
2005231726.tif 000003
【図２】
2005231726.tif 000004
【図３】
2005231726.tif 000005
【図４】
2005231726.tif 000006
【図５】
2005231726.tif 000007
【図６】
2005231726.tif 000008